(57)【要約】【課題】選択ツマミにより熱線センサ入／切状態が手動変更された場合でも、伝送ユニットが認識している熱線センサ入／切状態と、熱線センサ付き自動スイッチの実際の熱線センサ入／切状態とが異なる状態になることを防止した遠隔監視制御システムを提供する。【解決手段】熱線センサ付き自動スイッチ３は、熱線センサ１０に接続され所定アドレスが付与される端子部９における接点入／切状態を手動変更するための切替部と、端子部９における接点入／切状態を検出する接点状態検出部１４ｂと、切替部において接点入／切状態が手動変更された場合、端子部９のアドレス、及び接点状態検出部１４ｂで検出された端子部９の接点の入状態又は切状態を含む制御要求を生成する制御部１１と、この制御要求を伝送ユニットに送信する送受信部１２と、を備える。【選択図】図１
2012074775.tif 000002
【特許請求の範囲】
【請求項１】
信号線を通して伝送される伝送信号に基づいて照明負荷を制御する制御端末器と、熱線センサを用いて所定エリア内の人の存否を検出し当該検出の結果及び制御対象となる照明負荷のアドレスを含む伝送信号を信号線に出力する熱線センサ付き端末器と、信号線を介して前記制御端末器及び前記熱線センサ付き端末器と伝送信号を送受信する伝送ユニットと、を備える遠隔監視制御システムにおいて、
前記熱線センサ付き端末器は、
熱線センサに接続され、所定アドレスが付与される端子部における接点入／切状態を手動変更するための切替手段と、
前記端子部における接点入／切状態を検出する接点状態検出手段と、
前記切替手段において接点入／切状態が手動変更された場合、前記端子部のアドレス、及び前記接点状態検出手段で検出された前記端子部の接点の入状態又は切状態を含む制御要求を生成する制御手段と、
前記制御要求を前記伝送ユニットに送信する送受信手段と、を備えることを特徴とする遠隔監視制御システム。
【請求項２】
前記熱線センサ付き端末器は、前記送受信手段において前記制御要求を前記伝送ユニットに通知した後に、前記伝送ユニットが前記端子部の接点入／切状態を確認して、確認した当該接点入／切状態に基づいて前記端子部の接点入／切状態を制御するための制御指令を前記伝送ユニットから受信した場合にのみ、当該制御指令に基づいて熱線センサに接続された前記端子部の接点入／切状態の変更を行う、ことを特徴とする請求項１記載の遠隔監視制御システム。
【発明の詳細な説明】
【技術分野】
【０００１】
本発明は、照明器具の遠隔監視制御システムに関し、特に検知エリア内の人の存否に応じて照明器具の制御を行うため熱線センサ付き自動スイッチを備えた遠隔監視制御システムに関する。
【背景技術】
【０００２】
図８に、従来の熱線センサ付き端末器を用いて照明負荷の点灯／消灯を行う照明制御システムの構成の一例を示す。ここで用いる熱線センサ用端末器８１は、器体内に熱線センサを内蔵したタイプのものであり、検知エリアの天井面などに埋込配設される。信号線Ｌｓには、商用電源から照明負荷Ｌへの給電を入／切りするためのラッチング型のリモコンリレーを制御するリレーユニット８３、壁スイッチ８２が接続される。この壁スイッチ８２は、照明負荷Ｌの点灯／消灯を行う点滅用スイッチＳａ、及び熱線センサ８４の機能を入／切りするための熱線センサ入／切用スイッチＳｂを具備する。熱線センサのアドレスは、伝送ユニット８０において照明負荷Ｌを入／切りするためのリレーユニット８３のアドレスに対応づけられている。
【０００３】
次に、この照明制御システムの動作を簡単に説明する。まず、検知エリア内に人が進入して熱線センサ８４で検出され、人体検出信号が入力されると、熱線センサ用端末器８１が人体検出信号に対応したアドレスが付加された監視データ（出力がオンであることを示すデータ）を伝送ユニット８０に返送する。そして、伝送ユニット８０が上記アドレスの対応関係に従ってリレーユニット８３に制御データを伝送すると、リレーユニット８３がリモコンリレーをオンして照明負荷Ｌを点灯させる。
【０００４】
動作保持時間が経過すると熱線センサ用端末器８１がそれに対応した監視データ（出力がオフであることを示すデータ）を伝送ユニット８０に返送する。そして、伝送ユニット８０がリレーユニット８３に制御データを伝送すると、リレーユニット８３がリモコンリレー８３をオフして照明負荷Ｌを消灯させる。ここで、スイッチ８２の点滅用スイッチＳａのアドレスもリレーユニット４のアドレスに対応付けされており、点滅用スイッチＳａを操作することでも照明負荷Ｌを強制的に点灯／消灯させることができる。
【０００５】
ところで、通常、熱線センサ付き端末器には背面などにおいて再点灯させてから照明負荷を点灯させ続ける動作保持時間を選択するための「選択ツマミ」が備えられ、この「選択ツマミ」を用いてユーザが熱線センサ入／切状態を手動で強制的に「切」にすることもできる。ユーザは、この「選択ツマミ」を手動操作することで、熱線センサが人を検知しても照明器具を自動的にＯＮ／ＯＦＦする制御動作を行わないように設定できる。
【０００６】
また、熱線センサ付き端末器の本体に熱線センサ入／切用の専用アドレスを設定することにより、壁スイッチから熱線センサ入／切の制御を直接行うことも可能である。この場合、熱線センサ入／切用アドレスは、操作用アドレス（スイッチアドレス）ではなく、制御用アドレス（Ｔ／Ｕアドレス）が付与される。伝送ユニットは、Ｔ／Ｕアドレスを用いて熱線センサ付き端末器の熱線センサ入／切状態を監視して、監視結果に基づいて、対応する壁スイッチ部のセンサ入／切用スイッチに対応する表示部に、熱線センサ入では赤表示、熱線センサ切では緑表示などを行う。
【０００７】
ところで、熱線センサ付き端末器の「選択ツマミ」の手動操作によりセンサ入／切が変更された場合、伝送ユニットは熱線センサ入／切の状態が変更されたことは認識できない。そのため、実際の熱線センサ入／切状態と、スイッチ部のセンサ入／切スイッチに表示されている熱線センサ入／切状態が異なる状態が生じるという問題がある。
【０００８】
そこで、熱線センサ付き端末器から、伝送ユニットに対して熱線センサ入／切状態が変更されたことを通知する必要がある。この場合、上述のように、熱線センサ入／切アドレスとしＴ／Ｕアドレスを使用しているため、この通知には制御用動作を用いる。
【０００９】
以下、従来の熱線センサ付き端末器から伝送ユニットへの状態変化通知動作を図９を用いて説明する。最初に、ユーザが「選択ツマミ」を用いて熱線センサ入／切状態を手動変更すると、熱線センサ付き端末器は、伝送ユニットに対して熱線センサ入／切状態の通知のために割込み要求（割込信号）を発生させる（Ｓ９１）。
【００１０】
そして、伝送ユニットは、割込み要求に含まれる端末識別用のアドレスデータの上位の半数のビット（アドレスデータを８ビットとすれば上位４ビット）を特定する。そして、伝送ユニットは、上位ビットに対応する複数の端末機をグループとして一括的に開くアクセスするグループアクセスによって端末検索を開始する（Ｓ９２）。割込信号を発生させた熱線センサ付き端末器では、伝送信号のアドレスデータの上位４ビットが熱線センサ付き端末器に設定されている操作用アドレスの上位４ビットに一致するとき信号返送期間に下位の半数ビットを伝送ユニットに返送する（Ｓ９３）。このことで、伝送ユニットが割込信号を発生した熱線センサ付き端末器の操作用アドレスを獲得する。
【００１１】
次に、伝送ユニットからのＴ／Ｕ（ターミナルユニット）状態監視要求を熱線センサ端末器が受信して（Ｓ９４）、現在の熱線センサ入／切状態を伝送ユニットに返信する（Ｓ９５）。このことで、伝送スイッチは、熱線センサ付き端末器の手動変更が行われた場合でも、熱線センサ付き端末器における熱線センサ入／切状態の確認が行える。
【００１２】
ところで、２線式リモコンで照明器具を制御する遠隔監視制御システムとして、検知エリア内の人の存否に応じた所望の制御が簡単な構成で行うことができる遠隔監視制御システムが開示されている（例えば、特許文献１参照）。また、複数台の熱線センサ用端末器で共通の付加を制御する場合に所望の動作を行わせることができる遠隔監視制御システムも開示されている（例えば、特許文献２参照）。
【先行技術文献】
【特許文献】
【００１３】
【特許文献１】特開２０００−３４１７６８号公報
【特許文献２】特開２０００−３４１７６９号公報
【発明の概要】
【発明が解決しようとする課題】
【００１４】
しかしながら、ユーザが熱線センサ付き端末器に備わる「選択ツマミ」を用いて熱線センサ入／切状態を手動変更する場合、上述の図９に示す状態変化動作を熱線センサ付き端末器が開始するまでは、熱線センサ付き端末器の実際のセンサ入／切状態と、伝送ユニットが認識しているセンサ入／切状態とが異なる期間が発生する。この期間に、壁スイッチなどを用いて熱線センサ入／切アドレスと同じチャンネルを含むパターン制御が行われることが考えられる。この場合、「選択ツマミ」を用いて手動変更された熱線センサ入／切状態が、伝送ユニットから熱線センサ付き端末器に送信されるパターン制御信号に基づいて元に戻ってしまうという問題がある。
【００１５】
具体的には、図１０を用いて説明する。なお、図１０に示すような遠隔監視制御システムでは、壁スイッチのスイッチ個数（４個）に対応させたチャンネル単位（４回路）で伝送信号の送受信を行うことが規則となっている。従って、スイッチ部（例えば、熱線センサ付き端末器の熱線センサ入／切アドレスがｃｈ６３−１でパターン１（ＯＮ）に、ｃｈ６３−４でＯＦＦに登録）に４つ設けられたボタンスイッチの１つが押下された場合でも、他の３つのチャンネル状態も付加して同時に伝送ユニット側に送信される。
【００１６】
最初に、ユーザが熱線センサ付き端末器本体の「選択ツマミ」を用いた手動操作で熱線センサ切状態となる。そして、熱線センサ付き端末器と伝送ユニットと間でＴ／Ｕ状態変化通知（Ｓ９１〜Ｓ９５）を開始する前に、スイッチ部を用いてパターン１のスイッチ操作が行われると、伝送ユニットと熱線センサ付き端末器との間で上記と同様に割込み要求（Ｓ１０１）、割込みアドレス検索及び割込みアドレス返信（Ｓ１０２及びＳ１０３）がなされ、スイッチ部への表示が行われる（Ｓ１０４）。
【００１７】
この場合、熱線センサ入／切アドレスと同一チャンネルが含まれるボタンスイッチが押下されパターン１の制御が要求されているため、伝送ユニットでは、まだｃｈ６３−１がＯＮ状態と認識されているため、Ｔ／Ｕ制御信号でｃｈ６３−１がＯＮに制御される。このため、熱線センサ付き端末器では、「選択ツマミ」を用いた手動操作にも関わらず熱線センサ入の状態に再変更されてしまう（Ｓ１０５）。
【００１８】
そして、次のＳ９１〜Ｓ９５に示す熱線センサ付き端末器が状態変化割込み動作を開始する時点では、熱線センサ付き端末器が「熱線センサ入」の状態に再変更されているため、Ｔ／Ｕの状態返信では「熱線センサ入」を返信することとなる（Ｓ９５）。このように、ユーザが「選択ツマミ」を用いて熱線センサ切の状態にしたにも関わらず、熱線センサ付き端末器の熱線センサ入／切状態が「切」の状態に戻ってしまうという問題がある。
【００１９】
本発明は、上記課題に鑑みてなされ、熱線センサ付き端末器に備わる「選択ツマミ」により熱線センサ入／切状態が手動変更された場合でも、伝送ユニットが認識している熱線センサ入／切状態と、熱線センサ付き端末器の実際の熱線センサ入／切状態とが異なる状態となることを防止した遠隔監視制御システムを提供することを目的とする。
【課題を解決するための手段】
【００２０】
上記目的を達成するために本発明は、信号線を通して伝送される伝送信号に基づいて照明負荷を制御する制御端末器と、熱線センサを用いて所定エリア内の人の存否を検出し当該検出の結果及び制御対象となる照明負荷のアドレスを含む伝送信号を信号線に出力する熱線センサ付き端末器と、信号線を介して前記制御端末器及び前記熱線センサ付き端末器と伝送信号を送受信する伝送ユニットと、を備える遠隔監視制御システムにおいて、前記熱線センサ付き端末器は、熱線センサに接続され、所定アドレスが付与される端子部における接点入／切状態を手動変更するための切替手段と、前記端子部における接点入／切状態を検出する接点状態検出手段と、前記切替手段において接点入／切状態が手動変更された場合、前記端子部のアドレス、及び前記接点状態検出手段で検出された前記端子部の接点の入状態又は切状態を含む制御要求を生成する制御手段と、前記制御要求を前記伝送ユニットに送信する送受信手段と、を備えることを特徴とする。
【００２１】
この遠隔監視制御システムの前記送受信手段において前記制御要求を前記伝送ユニットに通知した後に、前記伝送ユニットが前記端子部の接点入／切状態を確認して、確認した当該接点入／切状態に基づいて前記端子部の接点入／切状態を制御するための制御指令を前記伝送ユニットから受信した場合にのみ、当該制御指令に基づいて熱線センサに接続された前記端子部の接点入／切状態の変更を行うことが好ましい。
【発明の効果】
【００２２】
本発明の遠隔監視制御システムでは、熱線センサ付き自動スイッチの「選択ツマミ」により熱線センサ入／切状態が手動変更された場合、熱線センサ付き自動スイッチは、熱線センサ入／切アドレスに対応する端子部の接点状態を検出して、伝送ユニットに対して端子部のアドレス及びオン制御要求又はオフ制御要求を通知する。このことで、熱線センサ付き自動スイッチの「選択ツマミ」により熱線センサ入／切状態が変更された場合でも、当該変更を伝送ユニットが認識できなくなることを防止して、パターン制御により熱線センサ入／切状態が元に戻ることを防止できる。
【図面の簡単な説明】
【００２３】
【図１】本発明の実施の形態１に係る遠隔監視制御システムの全体構成図である。
【図２】同遠隔監視制御システムに用いられる熱線センサ付き自動スイッチの背面図である。
【図３】同遠隔監視制御システムのアドレス設定器の画面表示例を示す図である。
【図４】同遠隔監視制御システムの熱線センサ付き自動スイッチの機能ブロック図である。
【図５】同遠隔監視制御システムの動作手順を示すシーケンス図である。
【図６】同上実施の形態１の変形例１に係る遠隔監視制御システムの動作手順を示すシーケンス図である。
【図７】本発明の実施の形態２に係る遠隔監視制御システムの動作手順を示すシーケンス図である。
【図８】従来の遠隔監視制御システムの全体構成の一例を示す図である。
【図９】同遠隔監視制御システムの動作手順を示すシーケンス図である。
【図１０】同遠隔監視制御システムの他の動作手順を示すシーケンス図である。
【発明を実施するための形態】
【００２４】
以下、本発明の実施の形態に係る遠隔監視制御システムについて図面を参照して説明する。
（実施の形態１）
本実施の形態１に係る遠隔監視制御システムについて図１乃至図５を参照して説明する。この遠隔監視制御システム１は、伝送ユニット２、熱線センサ付き自動スイッチ（熱線センサ付き端末器）３、リレーユニット（制御端末器）４、及びスイッチ部（操作端末器）５を備える。これらは２線式の信号線６を介して相互に接続されている。
【００２５】
伝送ユニット２は、内部のプロセッサ（ＣＰＵ）の制御のもと、自動スイッチ３またはスイッチ部５からの伝送信号に基づいて、自動スイッチ３またはスイッチ部５に関連付けられたアドレス情報から制御対象となる照明負荷８を特定するとともに、照明負荷８に対する制御状態を特定する。そして、伝送ユニット２は、制御対象となる照明負荷８と対応するリレーユニット４に対して、照明負荷８のアドレス情報と、その制御状態とを制御指令として送信する。
【００２６】
アドレス情報は、個別アドレス、グループアドレスまたはパターンアドレスを含む。個別アドレスは、個別制御の対象となる照明負荷８を特定するための情報であり、負荷アドレスがこれに該当する（例えば、「０−１」など）。グループアドレスは、グループ制御の対象となるグループを特定するための情報であり、予め設定された個々のグループに付与された番号等がこれに該当する（例えば、「Ｇ１」など）。パターンアドレスは、パターン制御の対象となるパターンを特定するための情報であり、予め設定された個々のパターンに付与された番号等がこれに該当する（例えば、「Ｐ１」など）。
【００２７】
伝送ユニット２は、個々のグループアドレス毎に、そのグループに割り当てられる照明負荷８の負荷アドレスを示したグループ情報を保持している。そのため、伝送ユニット２は、自動スイッチ３またはスイッチ部５からグループアドレスを取得した場合には、グループ情報を検索することで、このグループアドレスに該当する複数の照明負荷８（負荷アドレス）を特定することができる。なお、伝送ユニット２にはリモコントランスを介して交流電源７が接続される。
【００２８】
熱線センサ付き自動スイッチ３は、熱線センサが人体から放射される熱線を検出して検知エリア内の人の存否に応じて出力する人体検出信号を監視し、検知エリア内の人の動きが検出されたときに照明負荷８を点灯させる監視データを伝送ユニット２に返送する。また、熱線センサによって検知エリア内に人が検出されなくなってから所定の動作保持時間が経過した後に照明負荷を消灯する監視データを伝送ユニット２に返送する。
【００２９】
リレーユニット４は、リレーの制御状態に応じて照明負荷８の状態を制御する負荷制御端末器としての機能を担っている。リレーユニット４は、内部のプロセッサの制御のもと、伝送ユニット２からの伝送信号に基づいて、自己に接続するリレーのうち、制御対象となる照明負荷８に対応するリレーに対して制御信号を送ることにより、リレーの状態を制御する。個々のリレーは、リレーユニット４に制御されて、照明負荷８をオン状態（点灯状態）またはオフ状態（消灯状態）に制御する。
【００３０】
スイッチ部５は、壁スイッチなどであり、複数形成されたボタンスイッチに所定のアドレスが設定されている。例えば、スイッチ５ａには、制御用アドレス（例えば６３−１）を用いた熱線センサ付き自動スイッチ３の熱線センサ入／切アドレスが設定されている。ユーザは、スイッチ５ａをプッシュ操作することにより遠隔から自動スイッチ３の熱線センサ入／切の変更が可能となる。
【００３１】
なお、本実施の形態１に係る遠隔監視制御システム１では、スイッチ部５のボタンスイッチ個数（４個）に対応させたチャンネル単位（４回路）で信号の送受信を行う。この場合、ボタンスイッチのうち１つが押下された場合でも、他の３つのチャンネル状態も伝送信号に付加して伝送ユニット２に送信される。例えば、１のボタンスイッチのアドレス登録が０ｃｈ−１の場合、１のボタンスイッチが押下されると、この０ｃｈ−１の制御内容に加えて、０ｃｈ−２，３，４の状態を付加した伝送信号がボタン部５から伝送ユニット２に送信される。
【００３２】
次に、本実施の形態１に係る遠隔監視制御システム１の動作に関して説明する。なお、スイッチ部５のスイッチ５ａや５ｂにはそれぞれ個別の操作用アドレスが設定され、リレーユニット４にはそれぞれ個別の制御用アドレスが設定されている。伝送ユニット２は、操作用アドレス及び制御用アドレスを用いてスイッチ部５及びリレーユニット４を個別に認識する。
【００３３】
伝送ユニット２は、信号線６を介して伝送信号を送出する。この伝送信号は、スイッチ部５やリレーユニット４を各別に呼び出すためのアドレスデータ、照明負荷８を制御する制御データ、伝送誤りを検出するためのチェックサムデータ、スイッチ部５やリレーユニット４からの返送信号を受信するタイムスロットである信号返送期間よりなる双極性（±２４Ｖ）の時分割多重信号である。
【００３４】
リレーユニット４及びスイッチ部５は、信号線６を介して受信した伝送信号により伝送されたアドレスデータが、予め設定されている操作用アドレス又は制御用アドレスに一致すると、伝送信号から制御データを取り込み、信号返送期間に返信データを返送する。伝送ユニット２では、送出した制御データと信号返送期間に受信したデータとの関係によって制御データが所望のリレーユニット４又はスイッチ部５に伝送されたことを確認する。なお、伝送ユニット２は、常時は伝送信号を一定時間間隔で送出しており、スイッチ部５が伝送ユニット２に対して情報を伝送しようとするときには、割込信号を発生させる必要がある。
【００３５】
次に、熱線センサ付き自動スイッチ３に設けられた各種ツマミに関して説明する。
熱線センサ付き自動スイッチ３は、図２に示すように、背面側にアドレス設定送受信部３１、動作保持時間選択ツマミ３２、及び明るさセンサ用ツマミ３３が設けられる。アドレス設定送受信部３１は、アドレス設定器からのデータを送受信して、光信号を受信すると受信表示ランプを点滅させる。動作保持時間選択ツマミ３２は、照明負荷８が人検知により再点灯してから消えるまでの動作保持時間を設定するための回転ツマミであり、例えば、「切」の位置にすると強制的に熱線センサ切状態となり、時間の位置にすると当該時間経過後に消灯を行う熱線センサ入状態になる。
【００３６】
明るさセンサ用ツマミ３３は、周囲照度を検出する照度センサの照度を設定するためのツマミである。照度センサによって検出される周囲照度が、明るさセンサ用ツマミ３３の設定値よりも高い場合には、人体検出信号が入力されても監視データ（出力がオンであることを示すデータ）を伝送ユニット２に返送しない。この照度センサを用いることで、外光による部屋の明るさを検知し、外が明るい時には光量を抑えて点灯し、外が暗い時には明るく点灯するなど、外光に合わせて平均照度を一定に保つよう自動調光（約２５〜７５％）できる。
【００３７】
次に、熱線センサ付き自動スイッチ３の機能について図３を用いて説明する。自動スイッチ３は、端子部９と、熱線センサ１０と、制御部１１と、送受信部１２と、アドレス記憶部１３と、センサ入／切状態切替部１４と、照度センサ接続部１５と、電源部１６とを備えている。制御部１１は、ＣＰＵを主構成要素とし、熱線センサ１０から得られる人体検出信号に基づいて伝送ユニット２に送信する監視データを作成する。送受信部１２は、監視データを信号線６に送出するとともに伝送ユニット２から送信されてくるデータを信号線６から受け取る。アドレス記憶部１３は、各アドレスデータを記憶する。
【００３８】
センサ入／切状態部１４は、熱線センサ入／切状態を切替えるための処理部である。接点状態検出部１４ｂは、選択ツマミ３２を用いた端子部９の熱線センサ１０との接点の入／切状態を、接点信号として制御部１１に通知する。制御部１１は、送受信部１２を介して端子部９の状態（オン又はオフ）に対応する制御要求を伝送ユニット２に通知する。照度センサ接続部１５は、照度センサの検出信号が入力される。電源部１６は、リモコントランスの交流出力から各部の動作電源を作成する。
【００３９】
次に、本実施の形態１の遠隔監視制御システム１に用いるアドレス情報に関して説明する。熱線センサ付き自動スイッチ３では、各種アドレスがアドレス記憶部１３に選択自在に記憶されるようにしてある。
【００４０】
図４はスイッチ部５や自動スイッチ４にアドレスを設定するためのワイヤレスアドレス設定器の表示部に表示される画面４１を示している。一番左の縦の列にはアドレスの種類、すなわち個別制御用アドレスを示す「個別」、グループ制御用アドレスを示す「Ｇ」又はパターン制御用アドレスを示す「Ｐ」などが表示される。その右隣りの縦の列にはチャンネルと負荷番号又はグループ番号やパターン番号が表示される。
【００４１】
画面４１では、１段目（４２）のアドレスには、検知動作制御アドレスとして、人体検出信号の入力時に監視データを送出する際に使用するアドレス（０−１）、２段目のアドレスにはパターン制御用アドレスが設定可能であり、遅延時間後制御アドレスとして、動作保持時間が経過した時に監視データを送出する際に使用するアドレス、３段目（４３）には、熱線センサ１０の入／切用の制御用アドレス（ｃｈ６３−１）が表示されている。
【００４２】
次に、遠隔監視制御システム１において、「選択ツマミ」３２を用いて熱線センサ１０の入／切状態（センサ入／切の制御用アドレスをｃｈ６３−１とする）が手動変更された場合の動作に関して説明する。
【００４３】
最初に、「選択ツマミ」３２を用いて熱線センサ１０の入／切状態（センサ入／切の制御用アドレスをｃｈ６３−１とする）が手動変更された場合、「選択ツマミ」との接点信号に変化が生じ、接点信号が立ち上がる又は接点信号が立ち下がり、これが接点入力検知部において検知される。すると、制御部１１は、伝送ユニット２に割込み要求を送信する（Ｓ５１）。
【００４４】
そして、伝送ユニット２は、割込み要求を行った端末器を特定（アドレス検索）するために、端末器認識用のアドレスデータを含む伝送信号を送出し（Ｓ５２）、割込信号を発生した自動スイッチ３は残りのアドレスを伝送ユニット２に返信する（Ｓ５３）。この結果、伝送ユニット２が割込信号を発生した熱線センサ付き自動スイッチ３のアドレスを獲得する。
【００４５】
次に、伝送ユニット２は、割込み要求を行った自動スイッチ３に対して、接点確認要求となる入力状態監視信号を送信する（Ｓ５４）。熱線センサ付き自動スイッチ３は、伝送ユニット２から送信された入力状態監視信号を受信し、どの接点に変化があったのか（具体的には、端子部に接続する熱線センサ１０との接点信号）、及び、その接点信号がどのように変化（この場合はＯＦＦになった）したのかを示す接点情報を取得して、この接点情報に基づいて、接点信号の変化があった端子部に関連付けられるアドレス情報（６３−１）と、接点変化に対応した熱線センサ１０の制御情報をＯＦＦ制御要求として返信する（Ｓ５５）。
【００４６】
次に、伝送ユニット２は、端末器状態監視要求を行い（Ｓ５６）、それを受信した熱線センサ付き自動スイッチ３は、現在の熱線センサ入／切状態（ＯＦＦ状態）を伝送ユニット２に返信する（Ｓ５７）。
【００４７】
また、伝送ユニット２は、スイッチ部５に対して熱線センサ１０の入／切状態に対応させた表示要求を行い（Ｓ５８）、Ｔ／Ｕ制御によりＯＦＦ制御（センサ切）を行う（Ｓ５９）。ここでは、Ｓ５５のＯＦＦ制御要求が返信されているために、伝送ユニット２のｃｈ６３−１のアドレスに対応する状態が既にＯＦＦ状態となっているため、Ｓ５９において返信される状態もＯＦＦ制御（センサ切）となる。最後に、熱線センサ付き自動スイッチ３は、コマンドや文字列を伝送ユニット２側に送り返すエコーバック処理を行う（Ｓ６０）。なお、図５では、ＯＦＦ制御要求の場合を示しているが、選択ツマミ３２を用いて手動でセンサ入に変更されてＯＮ制御要求を行う場合も同様の動作となる。
【００４８】
このように、本実施の形態１に係る遠隔監視制御システム１において、自動スイッチ３の本体の選択ツマミ３２により熱線センサ入／切状態が変更された場合、熱線センサ付き自動スイッチ３は、熱線センサ入／切アドレスに対応させて、接点入力Ｔ／Ｕに基づくオン制御要求又はオフ制御要求を行う。このことで、熱線センサ付き自動スイッチ３本体の選択ツマミ３２により熱線センサ入／切状態が変更されたのに、伝送ユニット２からのパターン制御により熱線センサ入／切状態が元に戻るという問題を確実に回避できる。
【００４９】
（変形例１）
本実施の形態１の変形例１について、図６を参照して説明する。本図は、自動スイッチ３の選択ツマミ３２の手動操作により熱線センサ入／切状態が変化した後、伝送ユニット２に対してスイッチ部５を用いたパターンスイッチ操作（Ｓ６１〜Ｓ６６）が先に行われた場合の動作例を示している。
【００５０】
この場合、上述したＳ１０１〜Ｓ１０６の動作と同様に、センサ入／切状態が一旦、センサ入に再変更される（Ｓ６５）。しかし、本遠隔監視制御システムでは、その後、伝送ユニット２と自動スイッチ３との間で接点入力Ｔ／ＵのＯＦＦ制御要求動作がなされ、センサ入／切アドレス（６３−１）がＯＦＦ制御要求されてＯＦＦとなる（Ｓ５９）。このため、本変形例１では、自動スイッチ３の選択ツマミ３２の手動操作により熱線センサ入／切状態が変化した後、熱線センサ入／切アドレスと同一チャンネルの回路が含まれるパターン制御（Ｓ６１〜Ｓ６６）が先に行われた場合でも、熱線センサ入／切状態が元に戻るという問題が回避して、熱線センサ入／切状態を正確に反映させることができる。
【００５１】
（実施の形態２）
本実施の形態２に係る遠隔監視制御システムについて図７を参照して説明する。本遠隔監視制御システム１では、熱線センサ付き自動スイッチ３の熱線センサ入／切状態の変更は、全て伝送ユニット２を介して伝送ユニット２の制御指示により変更する。
【００５２】
すなわち、本遠隔監視制御システム１においては、熱線センサ付き自動スイッチ３の選択ツマミ３２が手動操作された場合においても、ツマミ位置は変更しても、熱線センサ付き自動スイッチ３は内部のセンサ入／切状態を変更しない。熱線センサ付き自動スイッチ３は、センサ入／切状態を変更するために上記実施の形態１と同様（Ｓ５１〜６０）の接点入力Ｔ／Ｕ動作によるＯＦＦ制御要求を行う（Ｓ５５）。この際、伝送ユニット２からのＴ／Ｕ制御指示があった場合のみ（Ｓ５９）、この制御指示に基づいて熱線センサ付き自動スイッチ３が熱線センサ入／切状態を変更できる。このため、上記実施の形態１に記載の効果に加えて、熱線センサ付き自動スイッチ３のセンサ入／切状態と伝送ユニット２が認識しているセンサ入／切状態が異なるという状態が発生しなくなる。
【００５３】
なお、本発明は、上記実施の形態の構成に限られず、発明の趣旨を変更しない範囲で種々の変形が可能である。例えば、接点検出される端末器は熱線センサ付き自動スイッチ３に限定されるものではない。
【符号の説明】
【００５４】
１  遠隔監視制御システム
２  伝送ユニット
３  熱線センサ付き自動スイッチ（熱線センサ付き端末器）
４  リレーユニット（制御端末器）
５  スイッチ部
６  信号線
７  電源
８  照明負荷
９  端子部
１０  熱線センサ
１１  制御部（制御手段）
１２  送受信部（送受信手段）
１３  アドレス記憶部
１４  センサ入／切状態切替部（切替手段）
１４ｂ  接点状態検出部（接点状態検出手段）
１５  照度センサ接続部
１６  電源部
３１  アドレス設定送受信部
３２  動作保持時間選択ツマミ
３３  明るさセンサ用ツマミ
【図１】
2012074775.tif 000003
【図２】
2012074775.tif 000004
【図３】
2012074775.tif 000005
【図４】
2012074775.tif 000006
【図５】
2012074775.tif 000007
【図６】
2012074775.tif 000008
【図７】
2012074775.tif 000009
【図８】
2012074775.tif 000010
【図９】
2012074775.tif 000011
【図１０】
2012074775.tif 000012